(57)【要約】【課題】表示部や乗車券に表示された文字が細かいので見難いという不具合を解消する。【解決手段】自動券売機であって、利用者の接近を検知するセンサと、前記利用者に、乗車券の購入のための情報を表示する表示部と、前記利用者からの前記乗車券の購入のための入力を受け付ける入力部と、前記表示部に表示される文字の大きさ及び前記乗車券に印字される文字の大きさを制御する制御部と、購入された乗車券の情報を乗車券に印字する印字部と、を備え、前記制御部は、前記センサが前記利用者を検知してから前記利用者により自動券売機が利用されるまでの経過時間が予め定められた時間以上の場合、予め定められた時間未満の場合と比較して、前記表示部に表示する文字を拡大させるとともに、前記印字部による印字の際に前記乗車券に印字される項目のうち予め定められた項目の文字の大きさを拡大させる。【選択図】図４
2014232363.tif 000002
【特許請求の範囲】
【請求項１】
自動券売機であって、
利用者の接近を検知するセンサと、
前記利用者に、乗車券の購入のための情報を表示する表示部と、
前記利用者からの前記乗車券の購入のための入力を受け付ける入力部と、
前記表示部に表示される文字の大きさ及び前記乗車券に印字される文字の大きさを制御する制御部と、
購入された乗車券の情報を乗車券に印字する印字部と、
を備え、
前記制御部は、
前記センサが前記利用者を検知してから前記利用者により自動券売機の利用が開始されるまでの経過時間が予め定められた時間以上の場合、予め定められた時間未満の場合と比較して、前記表示部に表示する文字を拡大させるとともに、前記印字部による印字の際に前記乗車券に印字される項目のうち予め定められた項目の文字の大きさを拡大させる、自動券売機。
【請求項２】
請求項１に記載の自動券売機において、
前記制御部は、前記表示部に、前記乗車券に印字される文字が拡大された第１の乗車券の画像と、前記乗車券に印字される文字の大きさが拡大されていない第２の乗車券の画像とを表示させて、前記画像により前記乗車券に印字される文字の大きさを拡大させるか、否か、を前記利用者に選択させる、自動券売機。
【請求項３】
自動券売機であって
利用者に、乗車券の購入のための情報を表示する表示部と、
前記利用者からの前記乗車券の購入のための入力を受け付ける入力部と、
前記乗車券に印字される文字の大きさを制御する制御部と、
購入された乗車券の情報を乗車券に印字する印字部と、
を備え、
前記制御部は、
前記表示部に、前記乗車券に印字される文字が拡大された第１の乗車券の画像と、前記乗車券に印字される文字の大きさが拡大されていない第２の乗車券の画像とを表示させて、前記画像により前記乗車券に印字される文字の大きさを拡大させるか、否か、を前記利用者に選択させる、自動券売機。
【請求項４】
請求項２または３に記載の自動券売機において、
前記第１の乗車券の画像の大きさは、発行される第１の乗車券の大きさと等しく、前記第２の乗車券の画像の大きさは、発行される第２の乗車券の大きさと等しい、自動券売機。
【請求項５】
請求項２〜４のいずれか一項に記載の自動券売機において、
前記制御部は、発行される第１の乗車券の大きさを、発行される第２の乗車券よりも大きくする、自動券売機。
【請求項６】
請求項５に記載に自動券売機において、
印字前の乗車券用の媒体は、ロール紙として格納されており、
前記第１の乗車券の一方の辺の長さと、前記第２の乗車券の一方の辺の長さと、前記ロール紙の幅と、は同じ寸法であり、
前記第１の乗車券と、前記第２の乗車券は、前記ロール紙を異なる長さで切断することにより形成される、自動券売機。
【請求項７】
請求項２〜６のうちのいずれか一項に記載の自動券売機において、
前記制御部は、
前記第１の乗車券として２枚の券で構成される１組の乗車券セットを発行し、
前記印字部に対して、前記２枚の券のうちの第１の券には、前記予め定められた項目を印字させ、第２の券には、前記予め定められた項目以外の項目を含む項目を印字させる、自動券売機。
【請求項８】
請求項７に記載の自動券売機において、さらに、
前記乗車券の情報を前記乗車券に磁気記録する磁気記録部を備え、
前記磁気記録部は、前記第１の券及び前記第２の券に、前記第１の券と前記第２の券とを関連づける情報を磁気記録する、自動券売機。
【請求項９】
自動券売機における発券方法であって、
利用者の接近を検知する工程と、
前記利用者に、乗車券の購入のための情報を表示する工程と、
前記利用者からの前記乗車券の購入のための入力を受け付ける工程と、
前記利用者を検知してから前記利用者により自動券売機が利用されるまでの時間が予め定められた時間以上の場合、予め定められた時間未満の場合と比較して、表示部に表示する文字を拡大させるとともに、印字部による印字の際に前記乗車券に印字される項目のうち予め定められた項目の文字の大きさを拡大させる工程と、
を備える、自動券売機における発券方法。
【発明の詳細な説明】
【技術分野】
【０００１】
この発明は、駅などに設置される自動券売機及び自動券売機における乗車券や入場券などの発券方法に関する。
【背景技術】
【０００２】
駅には自動券売機が設置され、自動券売機は、様々な人に利用されている。自動券売機の一種として、路線図や運賃表を見なくとも乗車券を購入でき、お年寄りや視覚或いは聴力に障害、難、衰えなどがある方（ハンディキャップをもつ方）の利用にも配慮した乗車券購入を支援する自動券売機が知られている（特許文献１）。この自動販売機では、乗車券購入者が目的地までの料金を路線図や運賃表から見つけ出せない場合、ハンドセットから音声入力による運賃検索を行う。また、利用者のハンディキャップを補う補正モード（音声出力に対応した人物画像表示（口元表示），難聴モード，文字拡大モード，拡声モード及び色調モード）を備えている。
【先行技術文献】
【特許文献】
【０００３】
【特許文献１】特開２００４−１１０２２３
【発明の概要】
【発明が解決しようとする課題】
【０００４】
しかし、発券される乗車券については、例えばお年寄り等の利用に十分な配慮がされていなかった。
【課題を解決するための手段】
【０００５】
本発明は、上述の課題の少なくとも一部を解決するためになされたものであり、以下の形態として実現することが可能である。
【０００６】
本発明の一形態によれば、自動券売機が提供される。この形態の自動券売機は、センサが利用者を検知してから前記利用者により自動券売機が利用されるまでの経過時間が予め定められた時間以上の場合、予め定められた時間未満の場合と比較して、表示部に表示する文字を拡大させるとともに、前記印字部による印字の際に前記乗車券に印字される項目のうち予め定められた項目の文字の大きさを拡大させる。
【発明の効果】
【０００７】
利用者がお年寄りまたは弱視者の場合には、センサが利用者を検知してから利用者により自動券売機が利用されるまでの時間は長くなる。この形態の自動券売機によれば、センサが利用者を検知してから利用者により自動券売機が利用されるまでの時間が予め定められた時間以上の場合には、予め定められた時間未満の場合と比較して、表示部に表示する文字を拡大させ、乗車券に印字される項目のうち予め定められた項目の文字の大きさを拡大させるので、表示部や乗車券に表示された文字が細かいので見難いという不具合を解消することが可能となる。
【０００８】
なお、本発明は種々の形態で実現することが可能であり、例えば、自動券売機の他、自動券売機における発券方法等の形態で実現することができる。
【図面の簡単な説明】
【０００９】
【図１】乗車券の発券システムを示す説明図である。
【図２】自動券売機の外観を模式的に示す説明図である。
【図３】自動券売機の内部構成を模式的に示すブロック図である。
【図４】乗車券の発券のフローチャートである。
【図５】タッチパネル表示部に表示させる通常表示の一例である。
【図６】利用者にタッチパネル表示部への表示を拡大表示させるか否かを入力させる問い合わせ画面の一例である。
【図７】タッチパネル表示部に表示される拡大表示の一例である。
【図８】タッチパネル表示部に表示される問い合わせ画面の一例である。
【図９】乗車券発行における自動券売機とサーバとのデータをやり取りのシーケンス図である。
【図１０】通常文字（拡大しない文字）を用いた乗車券の券面を示す図である。
【図１１】拡大文字を用いた乗車券の券面の一例を示す図である。
【図１２】拡大文字を用いた乗車券の券面の他の例を示す図である。
【図１３】乗車券のさらに別の例を示す説明図である。
【発明を実施するための形態】
【００１０】
図１は、乗車券の発券システムを示す説明図である。乗車券の発券システムは、自動券売機１０Ａ、１０Ｂ、１０Ｃと、サーバ５０と、を備える。自動券売機１０Ａ、１０Ｂ、１０Ｃは、駅などに配置されており、利用者に乗車券を発行する。なお、本実施形態では、乗車券には、入場券も含まれるものとする。サーバ５０は、自動券売機１０Ａ、１０Ｂ、１０Ｃと乗車券のデータをやり取りし、自動券売機１０Ａ、１０Ｂ、１０Ｃを管理する。サーバ５０は、例えばその駅における乗車券発行を管理するサーバとして各駅に配置されていてもよく、あるいは、複数の駅における乗車券発行を管理するセンタサーバとして管理センタに配置されていてもよい。
【００１１】
図２は、自動券売機１０の外観を模式的に示す説明図である。図１では、自動券売機１０Ａ、１０Ｂ、１０Ｃと個々の自動券売機を区別していたが、区別する必要がない場合には、「自動券売機１０」とも呼ぶ。自動券売機１０は、タッチパネル表示部１２と、硬貨入金部１４と、硬貨出金部１６と、紙幣入金部１８と、紙幣出金部２０と、カード入出部２２と、発券部２４と、接客センサ２６と、を備える。
【００１２】
タッチパネル表示部１２は、乗車券の購入に必要な情報を利用者に表示する表示部としての機能と、乗車券の購入の際の操作を利用者から受け付ける入力部としての機能とを有する。硬貨入金部１４と紙幣入金部１８は、利用者からの金銭の入金を受け付ける。硬貨出金部１６と紙幣出金部２０は、お釣りや途中で購入が中止されたときの金銭を利用者に返却する。カード入出部２２は、利用者のクレジットカードの投入、排出を行う他、利用明細を排出する。なお、カード入出部２２は、クレジットカードの代わりに、プリペイドカードを投入、排出する構成であってもよい。発券部２４は、乗車券を発券して排出する。接客センサ２６は、利用者の接近を検知する。接客センサ２６として、例えば、赤外線センサが用いられても良い。
【００１３】
図３は、自動券売機１０の内部構成を模式的に示すブロック図である。自動券売機１０は、図２で説明した構成に加えて、さらに、硬貨処理部２８と、紙幣処理部３０と、印字部３２と、磁気記録部３４と、カードリーダ３６と、ネットワーク接続部３８と、制御部４０と、を備える。硬貨処理部２８は、硬貨の入出金処理を行う。例えば、硬貨処理部２８は、硬貨入金部１４を介して入金された硬貨を計数する。また、利用者に返却する硬貨を準備し、硬貨出金部１６に送る。紙幣処理部３０は、紙幣の入出金処理を行う。例えば、紙幣処理部３０は、紙幣入金部１８を介して入金された紙幣を計数する。また、利用者に返却する紙幣を準備し、紙幣出金部２０に送る。
【００１４】
印字部３２は、乗車券用の媒体に、所定の事項を印字する。なお、本実施形態では、利用者の属性、あるいは利用者の選択により、印字される所定の事項の内容や印字の態様（文字の大きさ等）が異なる。磁気記録部３４は、乗車券に磁気データを記録する。カードリーダ３６は、カード入出部２２から挿入されたキャッシュカードの読み書きを行う。ネットワーク接続部３８は、サーバ５０とデータをやり取りするために用いられる。
【００１５】
図４は、乗車券の発券のフローチャートである。ステップＳ１００では、制御部４０は、接客センサ２６を用いて利用者を検知し、タイマのカウントを始める。ステップＳ１１０では、制御部４０は、利用者の操作開始を検知する。例えば、制御部４０は、硬貨入金部１４に硬貨が投入されたとき、あるいは、紙幣入金部１８に紙幣が投入されたときを利用者の操作開始と判断しても良い。ステップＳ１２０では、制御部４０は、利用者を検知してから利用者の操作開始までの経過時間Ｔを算出する。
【００１６】
ステップＳ１３０では、制御部４０は、経過時間Ｔが、予め定められた時間Ｓ（以下「判定時間Ｓ」とも呼ぶ。）以上か、判定時間Ｓ未満かを判断する。経過時間Ｔが判定時間Ｓ未満の場合には、制御部４０は、処理を後述するステップＳ２１０に移行する。一方、経過時間Ｔが判定時間Ｓ以上の場合には、制御部４０は処理をステップＳ１４０に移行する。ステップＳ１４０では、制御部４０は、利用者にタッチパネル表示部１２への表示を拡大表示させるか否かを入力させる。
【００１７】
図５は、タッチパネル表示部１２に表示させる通常表示の一例である。図６は、利用者にタッチパネル表示部１２への表示を拡大表示させるか否かを入力させる問い合わせ画面の一例である。ステップＳ１４０において、拡大表示が選択されなかった場合には、制御部４０は、処理をステップＳ２１０に移行する。ステップＳ２１０では、通常表示（図５）上での利用者からの乗車券の金額の入力を検知する。一方、ステップＳ１４０において、拡大表示が選択された場合には、制御部４０は、処理をステップＳ１５０に移行し、タッチパネル表示部１２に表示させる表示を拡大表示とする。
【００１８】
図７は、タッチパネル表示部１２に表示される拡大表示の一例である。ステップＳ１６０では、制御部４０は、利用者からの乗車券の金額の入力を検知する。制御部４０は、選択された乗車券の金額をサーバ５０に送信する。なお、この処理ステップ以降においては、自動券売機１０の制御部４０とサーバ５０との間で様々なデータのやり取りが行われる。これらのデータのやり取りについては後述する。
【００１９】
ステップＳ１７０では、制御部４０は、乗車券の複数の異なるイメージ画像をタッチパネル表示部１２に表示し、乗車券に印字する文字を拡大するか否かを利用者に問い合わせる。
【００２０】
図８は、タッチパネル表示部１２に表示される問い合わせ画面の一例である。問い合わせ画面には、乗車券の２つのイメージ画像１００ｉ、１１０ｉが表示されている。第１のイメージ画像１１０ｉは、乗車券に印字される文字（以下「印字文字」とも呼ぶ。）が拡大された乗車券のイメージ画像である。一方、第２のイメージ画像１００ｉは、通常の乗車券のイメージ画像であり、印字文字は拡大されていない。なお、特許請求の範囲では、印字文字が拡大された乗車券を「第１の乗車券」と呼び、通常の乗車券を「第２の乗車券」と呼んでいる。第１のイメージ画像１１０ｉでは、乗車券として最も重要な情報である乗車駅名と有効区間とが拡大されて表示されている。なお、有効区間を示す文字としては、額面金額と到着駅名とのうちの少なくとも一方を示す文字を含むことが好ましい。また、第１のイメージ画像１１０ｉでは、鉄道会社名などの第２のイメージ画像１００ｉに含まれる情報の一部が省略されている。但し、制御部４０は、これらの他の情報を、第１のイメージ画像１１０ｉに表示させても良い。このとき、これらの他の情報は、第２のイメージ画像１００ｉに印字される場合に比べて小さい文字で表示されても良い。また、イメージ画像１００ｉ、１１０ｉの大きさは、実際の乗車券の大きさと同じ大きさであっても良い。このようなイメージ画像１００ｉ、１１０ｉの大きさと、実際の乗車券の大きさと、が同じ大きさである表示であれば、利用者は、イメージ画像１００ｉ、１１０ｉを見て、実際の乗車券、あるいは乗車券の文字の見やすさを判断しやすい。
【００２１】
ステップＳ１７０において、第１のイメージ画像１１０ｉが選択された場合には、制御部４０は、処理を図４のステップＳ１８０に移行し、印字部３２に対して、通常とは印字パターンを変更し、文字を大きくして乗車券を印字させる。一方、第２のイメージ画像１００ｉが選択された場合には、制御部４０は、処理をステップＳ２２０に移行し、印字部３２に対して、通常の印字パターンで、文字を大きくせずに、乗車券を印字させる。ステップＳ１９０では、制御部４０は、磁気記録部３４に対して、磁気データを乗車券に記録させる。ステップＳ２００では、制御部４０は、発券部２４に、乗車券を発行させる。発行される乗車券の具体例については、後述する。
【００２２】
上述したように、ステップＳ１３０において、経過時間Ｔが予め定められた判定時間Ｓ未満の場合には、制御部４０は、処理をステップＳ２１０に移行する。ステップＳ２１０では、制御部４０は、図５に示すように。タッチパネル表示部１２に通常の文字の大きさで金額の入力画面を表示させ、利用者に乗車券の金額を入力（選択）させる。その後、制御部４０は、処理をステップＳ２２０に移行し、印字部３２に対して、通常の印字パターンで、文字を大きくせずに、乗車券を印字させる。以後の処理は、ステップＳ１３０において、経過時間Ｔが予め定められた判定時間Ｓ以上の場合の処理と同様である。
【００２３】
図９は、乗車券発行における自動券売機１０とサーバ５０とのデータをやり取りのシーケンス図である。制御部４０は、図４のステップＳ１６０またはステップＳ２１０において、利用者からの乗車券の金額の入力（選択）を受けると、処理をステップＳ３００に移行し、選択された乗車券の金額をサーバ５０に送信する。ステップＳ３１０では、サーバ５０は、自動券売機１０の制御部４０に印刷指示を送信する。このとき、サーバ５０が乗車券のイメージ画像も送信するように構成されていても良い。このように構成されていれば、自動券売機１０の制御部４０は、イメージ画像１００ｉ、１１０ｉを予めメモリ（図示せず）格納していなくてもよい。
【００２４】
ステップＳ３２０では、自動券売機１０の制御部４０は、印刷指示を受けた旨をサーバ５０に応答する。なお、制御部４０は、図４のステップＳ１７０において、いずれのイメージ画像が選択されたかをサーバ５０に応答しても良い。ステップＳ３３０では、サーバ５０は、乗車券に印字される印字データを自動券売機１０の制御部４０に送信する。制御部４０は、乗車券への印字が完了すると、処理をステップＳ３４０に移行し、印字完了をサーバ５０に送信する。ステップＳ３５０では、サーバ５０は、乗車券に記録される磁気データを自動券売機１０の制御部４０に送信する。乗車券への磁気データの記録が完了すると、制御部４０は、磁気データの記録完了通知をサーバ５０に送信する。
【００２５】
以上、本実施形態によれば、接客センサ２６を用いて利用者を検知してから利用者の操作開始までの経過時間Ｔに基づいて、タッチパネル表示部１２に拡大表示させるか否かを利用者に問い合わせるので、利用者に応じた対応が可能となる。なお、上記説明では接客センサ２６を用いて利用者を検知してから利用者の操作開始までの経過時間Ｔに基づいて、問い合わせをするか否かを決定しているが、タッチパネル表示部１２が拡大表示ボタンを備え、接客センサ２６を用いて利用者を検知してから利用者の操作開始までの経過時間Ｔが判定時間Ｓより短いときでも拡大表示に移行可能なように構成されていても良い。
【００２６】
本実施形態では、制御部４０は、接客センサ２６を用いて利用者を検知してから利用者の操作開始までの経過時間Ｔに基づいて、利用者に対して、拡大表示の問い合わせをするか、否か、を決定している。ここで、経過時間Ｔが判定時間Ｓ以上の場合には、制御部４０は、利用者への問い合わせを行わずに、タッチパネル表示部１２の文字を拡大し、あるいは、乗車券に印字させる文字を拡大させてもよい。
【００２７】
また、本実施形態によれば、タッチパネル表示部１２に乗車券のイメージ画像１００ｉ、１１０ｉを表示するので、利用者は、このイメージ画像を見て、乗車券を選択することが可能となる。なお、上述したように、イメージ画像１００ｉ、１１０ｉの大きさは、実際の乗車券の大きさと同じ大きさであっても良い。
【００２８】
図１０は、通常文字（拡大しない文字）を用いた乗車券１００（以下「通常文字乗車券１００と呼ぶ。」）の券面を示す図である。図１１は、拡大文字を用いた乗車券１１０（以下「拡大文字乗車券１１０」と呼ぶ。）の券面の一例を示す図である。図１０に示す通常文字乗車券１００は、項目として、乗車駅（△△）１０１と、乗車券の有効区間金額（○○円区間）１０２と、会社名称１０３と、利用者への注意事項１０４と、乗車券１００の発行駅名１０５と、発行日１０６と、が券面に印字されている。これに対し、図１１に示す拡大文字乗車券１１０では、それらの項目のうち、乗車駅（△△）１１１と乗車券の有効区間金額（○○円区間）１１２と、発行日１１６のみが券面に印字され、会社名称１０３と、利用者への注意事項１０４と、乗車券１００の発行駅名１０５と、は券面に印字されていない。また、通常文字乗車券１１０と拡大文字乗車券１１０とを比較すると、拡大文字乗車券１１０の乗車駅（△△）１１１と乗車券の有効区間金額（○○円区間）１１２の文字の大きさは、通常文字乗車券１００の乗車駅（△△）１０１と乗車券の有効区間金額（○○円区間）１０２の文字の大きさよりも大きい。なお、図１１に示す拡大文字乗車券１１０では、利用者への注意事項１０４については印字されていないが、印字されるようにしても良い。
【００２９】
図１１に示す拡大文字乗車券１１０では、通常文字乗車券１００に印字されていた会社名称１０３と、乗車券１００の発行駅名１０５とは、磁気データに変更されて記録されている。券面からこれらの印字が省略されることで、券面に空きスペースが生じる。本実施形態においては、この空きスペースを利用して、乗車駅（△△）１０１と、乗車券の有効区間金額（○○円区間）１０２の文字を大きく印字することが可能となる。その結果、高齢者や、視力の弱い人であっても、通常文字乗車券１００と比較して、乗車駅（△△）１１１と、乗車券の有効区間金額（○○円区間）１１２が見易くなる。なお、会社名称と、乗車券の発行駅名については、磁気データとして記録されてもよい。この場合、例えば、Ａ駅には磁気データ「0000 0000 0001」、Ｂ駅には磁気データ「0000 0000 0010」、Ｃ駅には磁気データ「0000 0000 0011」のように、発行駅に対してバイナリデータを１対１で割り当ててもよい。また、会社名称も発行駅名と同様に会社名称に対してバイナリデータを１対１で割り当てても良い。
【００３０】
図１２は、拡大文字を用いた乗車券の券面の他の例を示す図である。この例では、自動券売機１０は、２枚で構成された一組の乗車券セット１１０、１２０を発行する。自動券売機１０が２枚の券１１０及び１２０を発行する際、図９に示すシーケンスについては、券１１０、１２０の発行毎にそれぞれ実行されてもよく、券１１０、１２０の発行に対して１回にまとめて実行されても良い。
【００３１】
１枚目の券１１０（特許請求の範囲では「第１の券」とも呼ぶ。）は乗車券であり、その券面には、図１１の拡大文字乗車券１１０の券面と同様に、乗車駅（△△）１０１と、乗車券の有効区間金額（○○円区間）１０２の文字が大きく印字され、会社名称と、利用者への注意事項と、乗車券の発行駅名１２５は省略されている。そして、２枚目の券１２０（特許請求の範囲では「第２の券」とも呼ぶ。）の券面には、会社名称１２３と、利用者への注意事項１２４と、乗車券の発行駅名１２５とが、印字されている。ここで、利用者への注意事項１２４については、大きな文字で印字されても良い。また、この例では、会社名称と、乗車券の発行駅名１２５については、１枚目の券１１０に磁気データとして記録されてもよく、磁気データとして記録されなくても良い。この例では、通常文字乗車券１００の１枚の情報を２枚の券１１０、１２０に分けて印字することによって、乗車券１１０の券面に印字する文字を大きく印字できる。なお、１枚目の券１１０には、予め定められた項目を印字させ、２枚目の券には、予め定められた項目以外の項目を含む項目を印字させてもよい。すなわち、１枚目の券と２枚目の券で印字される項目の一部は重複してもよい。
【００３２】
この例では、利用者は、駅の改札機等を通過する場合は、１枚目の券１１０のみを利用する。２枚目の券１２０は、駅の改札機等を通過するためには用いられず、利用者への注意喚起に用いられる。
【００３３】
図２の乗車券セット１１０、１２０は、以下のように利用されても良い。上述したように、２枚目の券１２０は、駅の改札機等を通過するためには用いられない。ただし、駅の改札機等を通過して出場することが可能なように構成されても良い。例えば、１枚目の券１１０と、２枚目の券１２０を関連づけるユニークな符号１１７、１２７が、券１１０、１２０にそれぞれ磁気記録されても良い。利用者は、駅の改札機を通って入場する場合は、１枚目の券１１０を利用する。このとき、改札機は、ユニークな符号１１７をサーバ５０に送り、サーバ５０は、このユニークな符号１１７を記録する。一方、利用者は、駅の改札機を通って出場する場合には、１枚目の券１１０と、２枚目の券１２０のいずれを利用してもよい。利用者が２枚目の券１２０を利用して改札機から出場しようとする場合、改札機は、２枚目の券１２０に記録されたユニークな符号１２７を読みとり、サーバ５０に送る。ユニークな符号１２７がサーバ５０に格納されているユニークな符号１１７と関連づけられている場合には、サーバ５０は、その利用者が２枚目の券１２０を用いて改札機を通って出場することが可能である旨の許可を改札機に送る。利用者は、２枚目の券１２０を用いて改札機を通って出場する。この場合、例えば、利用者は、１枚目の券１１０を紛失しても、２枚目の券１２０を用いて改札機を通って出場することが出来る。
【００３４】
一般に、磁気記録可能な乗車券の裏面は、黒色またはこげ茶色である。２枚目の券１２０の記載される内容を、１枚目の券１１０の裏面に、白色または、白色系の非磁性体インクを用いて印字しても良い。この場合、２枚目の券１２０の発行は不要である。
【００３５】
図１３は、乗車券のさらに別の例を示す説明図である。図１１、１２に示した乗車券１１０では、乗車券１１０の外径の大きさを通常の乗車券１００と変更せずに、乗車駅（△△）１０１と、乗車券の有効区間金額（○○円区間）１０２の文字を大きく印字していた。これに対し、図１３の例では、拡大文字乗車券１３０の大きさを通常文字乗車券１００の大きさよりも大きくし、券面に印字される文字も大きくしている。なお、図１３に示す例では、拡大文字乗車券１３０の券面に印刷される内容は、通常文字乗車券１００に券面に印刷される内容と同じであるが、乗車駅（△△）１０１と、乗車券の有効区間金額（○○円区間）１０２の文字が拡大されている。なお、この場合にも、図４のステップＳ１７０で表示される乗車券１３０のイメージ画像は、実際の乗車券１３０の大きさと同じであっても良い。自動券売機１０は、拡大文字乗車券として、拡大文字乗車券１１０、一組の乗車券セット１１０、１２０、拡大文字乗車券１３０のうちの２種類以上の中から選択的に発券出来るように構成されていても良い。
【００３６】
乗車券の大きさについては、様々な大きさのものが用いられている。一般的には、近距離の乗車券では、Ａ型券あるいはエドモントン券と呼ばれる３０ｍｍ×５７．５ｍｍの大きさのものがよく用いられている。また、長距離の乗車券や定期乗車券では、５７．５ｍｍ×８５ｍｍの大きさのものが用いられている。なお、長距離の乗車券では、５７．５ｍｍ×１２０ｍｍの大きさのものも存在する。これらの乗車券は、一方の辺の大きさが５７．５ｍｍで共通している。
【００３７】
本実施形態では、印字前の乗車券用の媒体として、幅５７．５ｍｍのロール紙２００を用い、制御部４０は、制御部４０は、乗車券の発行毎に利用者により選択されたイメージ画像に対応する所定の大きさ（例えば３０ｍｍ、８５ｍｍ）で切断し、乗車券に記載する項目を印字させ、磁気記録させることにより、１つのロール紙２００から上述した複数種類の乗車券１００、１１０、１２０、１３０を形成し、発行することが可能である。この場合、乗車券の一方の辺の長さと、ロール紙２００の幅と、は同じ寸法５７．５ｍｍとなる。なお、ロール紙２００からの切断と、印字は、どちらが先に行われても良い。
【００３８】
以上、いくつかの実施形態に基づいて本発明の実施の形態について説明してきたが、上記した発明の実施の形態は、本発明の理解を容易にするためのものであり、本発明を限定するものではない。本発明は、その趣旨並びに特許請求の範囲を逸脱することなく、変更、改良され得るとともに、本発明にはその等価物が含まれることはもちろんである。
【符号の説明】
【００３９】
１０、１０Ａ、１０Ｂ、１０Ｃ…自動券売機
１２…タッチパネル表示部
１４…硬貨入金部
１６…硬貨出金部
１８…紙幣入金部
２０…紙幣出金部
２２…カード入出部
２４…発券部
２６…接客センサ
２８…硬貨処理部
３０…紙幣処理部
３２…印字部
３４…磁気記録部
３６…カードリーダ
３８…ネットワーク接続部
４０…制御部
５０…サーバ
１００…通常文字乗車券（乗車券）
１１０…拡大文字乗車券（乗車券、第１の券）
１２０…第２の券
１３０…拡大文字乗車券（乗車券）
１００ｉ、１１０ｉ…イメージ画像
１０３…会社名称
１０４…注意事項
１０５…発行駅名
１２３…会社名称
１２４…注意事項
１２５…発行駅名
２００…ロール紙
【図１】
2014232363.tif 000003
【図２】
2014232363.tif 000004
【図３】
2014232363.tif 000005
【図４】
2014232363.tif 000006
【図５】
2014232363.tif 000007
【図６】
2014232363.tif 000008
【図７】
2014232363.tif 000009
【図８】
2014232363.tif 000010
【図９】
2014232363.tif 000011
【図１０】
2014232363.tif 000012
【図１１】
2014232363.tif 000013
【図１２】
2014232363.tif 000014
【図１３】
2014232363.tif 000015